(57)【特許請求の範囲】
【請求項１】
ケージ（１）の床（２）に半円形状の第１スノコ（３）を設け、第１スノコ（３）の下部に第１スノコ（３）を収納する半円形状の第１トレー（４）を設け、ケージ（１）の外部に半円形状の第２スノコ（５）を設け、第２スノコ（５）の下部に第２スノコ（５）を収納する半円形状の第２トレー（６）を設け、第２スノコ（５）及び第２トレー（６）は第１スノコ（３）及び第１トレー（４）と対称に配置し、第１トレー（４）及び第２トレー（６）を収納する円板（７）を設け、円板（７）の下部に台座（８）を設け、円板（７）の中心に第１軸（９）を固着し、台座（８）に第１軸（９）の下端を受ける第１軸受け（１０）を設けるトイレ（１１）を構成するケージのトイレ構造。
【請求項２】
ケージ（１）の床（２）に半円形状の第１スノコ（３）を設け、第１スノコ（３）の下部に第１スノコ（３）を収納する半円形状の第１トレー（４）を設け、ケージ（１）の外部に半円形状の第２スノコ（５）を設け、第２スノコ（５）の下部に第２スノコ（５）を収納する半円形状の第２トレー（６）を設け、第２スノコ（５）及び第２トレー（６）は第１スノコ（３）及び第１トレー（４）と対称に配置し、第１トレー（４）及び第２トレー（６）を収納する円板（７）を設け、第１トレー（４）及ひ第２トレー（６）の分岐上にある円板（７）の直径に第３壁（１７）を設け、第３壁（１７）は円板（７）の中心を起点に直径の中程から曲折させて円板（７）内に囲い状の壁を形成し、第３壁（１７）と対称に配置される囲い状の第５壁（２８）を設け、円板（７）の下部に台座（８）を設け、第３壁（１７）及び第５壁（２８）の上部にフレーム（２５）を設け、円板（７）の中心及び、第３壁（１７）と第５壁（２８）との間を貫通する第１軸（９）を設けて第３壁（１７）及び第５壁（２８）に第１軸（９）を固着し、台座（８）に第１軸（９）の下端を受ける第１軸受け（１０）を設け、フレーム（２５）に第１軸（９）の上端を受ける第１軸受け（１０）を設けるトイレ（１１）を構成するケージのトイレ構造。
【発明の詳細な説明】
【技術分野】
【０００１】  本発明はケージに設けるトイレに関するものである。
【背景技術】
【０００２】  ケージにスノコを設け、スノコを収納するためのトレーを設けるトイレを構成するもの、或いはトレーをケージに対して着脱できる様にしたものがある。
【発明が解決しようとする課題】
【０００３】  従来のトイレのものはスノコを収納するためのトレーを設け、トレーを引き出し式によりケージ対して着脱できる構成である。この構成によりスノコ及びトレーを洗浄する際はトレーをケージから分離することになるが、この状況下のケージ内のトイレの箇所は床が欠如した状態になる。つまり、この状況下のトイレの箇所に飼育動物が至近すれば転倒の危険が懸念される。又、この危険防止のためには洗浄するスノコ及びトレーの中継となる予備のスノコ及びトレーを用意する必要がある。
本発明は洗浄するスノコ及びトレーの中継となる予備のスノコ及びトレーを円滑に用意できる構成を提供することで転倒の危険防止を図ると共に、常に清潔な状態のトイレが実現できる様にする。
【課題を解決するための手段】
【０００４】  ケージ１の床２に半円形状の第１スノコ３を設け、第１スノコ３の下部に第１スノコ３を収納する半円形状の第１トレー４を設け、ケージ１の外部に半円形状の第２スノコ５を設け、第２スノコ５の下部に第２スノコ５を収納する半円形状の第２トレー６を設け、第２スノコ５及び第２トレー６は第１スノコ３及び第１トレー４と対称に配置し、第１トレー４及び第２トレー６を収納する円板７を設け、円板７の下部に台座８を設け、円板７の中心に第１軸９を固着し、台座８に第１軸９の下端を受ける第１軸受け１０を設けるトイレ１１を構成し、円板７の側面１２に手を宛てがい円板７を回転させる様にする。
【発明を実施するための最良の形態】
【０００５】  円板７の下部に台座８を設け、円板７の中心に第１軸９を固着し、台座８に第１軸９の下端を受ける第１軸受け１０を設ける構成により第１トレー４及び第２トレー６を収納する円板７は第１軸９を中心に回転することができる。つまり、ケージ１内の第１スノコ３及び第１トレー４が排泄物により汚れてきた際は側面１２を操作して円板７を半回転することで床２に第２スノコ５及び第２トレー６が配置されることになる。この時点においては第１スノコ３及び第１トレー４はケージ１外にあることで第１スノコ３及び第１トレー４をケージ１から分離できる状態になる。その後において第１スノコ３及び第１トレー４は洗浄を行う場所へ移動する様にし、洗浄後において第１スノコ３及び第１トレー４はケージ１外にある所定の箇所、つまり、洗浄のために摘出した時の箇所に戻される。
以上の様にして円板７が第１軸９により円滑な動作を呈して第１トレー４又は第２トレー６は交互にケージ１外に排出される度に洗浄作業に移行することになり、同時に予備の第１トレー４又は第２トレー６がケージ１内に容易に供給されてトイレ１１は常に清潔な状態が保たれる。併せて、トイレ１１の箇所には常に第１スノコ３又は第２スノコ５が存在し、床が欠如した状態が無いために安全である。なお、図１においては設置箇所の表記の必要性から第１軸９及び第１軸受け１０を円板７から透視させ、第１軸９は点線により表記し、又、第１軸受け１０は実線により表記している。
【実施例】
【０００６】  又、トイレ１１に透過できない素材から成る囲い状の第１壁１３を設け、これにより第１壁１３はトイレ１１の存在を周囲から遮蔽し、飼育動物は周囲の気配を感じること無く排泄することができる。この観点からは第１壁１３を覆う屋根１４を設けることも適切である。なお、屋根１４の真上から排泄状況を確認する目的により屋根１４の素材は半透過性のものが良好である。
又、円板７の直径はケージ１の一辺を担う壁の間口程を有する様にする。
又、第１壁１３以外のケージ１の周囲を囲う第２壁１５は通気性に優れる金網類が適切である。なお、図１においては天井に設ける金網の記載は省略して、床２の状況が明瞭に把握できる様にしている。
又、図１に示す様に円板７の側面１２は台座８よりも手前に突出して配置することの方が操作性に優れるが、そのための構成を図２に示すものである。つまり、円板７の底に台座８に収まる程度の範囲で、且つ、円板７の同心円に沿う複数の車輪１６を設け、これにより突出した側面１２を操作して円板７を台座８上で安定的に回転させることができる。なお、図２においては車輪１６を４輪均等に配置するが、正面に位置する車輪１６及び、背面に位置する車輪１６の記載は省略して、第１軸９及び第１軸受け１０の状況が明瞭に把握できる様にしている。
又、図３に示すものは第１トレー４及び第２トレー６の分岐上にある円板７の直径に第３壁１７を設け、円板７及び第３壁１７が一体で第１軸９を中心に回転する様にするものである。つまり、ケージ１内の第１スノコ３及び第１トレー４が排泄物により汚れてきた際は側面１２を操作して円板７を半回転することになるが、同時にケージ１内にあった第３壁１７の壁面が半回転して側面１２を操作する者と対面する状況になる。これにより第３壁１７の壁面の付着物を手前から拭き取ることが可能になる。
又、図１に示す囲い状の壁の構成にする目的により囲い状の壁の縁に相当する第４壁１８を設ける様にする。この第４壁１８は床２上の固定型の壁である。なお、図３においては第２壁１５の表記は為されないが、第３壁１７及び第４壁１８以外のケージ１の周囲を囲う第２壁１５は通気性に優れる金網類が適切である。
又、ケージ１外の第３壁１７の壁面の前面空間及び、ケージ１外の円板７の上面空間を覆うカバー１９を設ける。つまり、側面からはＬ字形状に見えるカバー１９は洗浄後の衛生管理の徹底を図るためのものであるが、カバー１９の表面に穴２０を網羅することでカバー１９の装着状態においての洗浄後の第１スノコ３及び第１トレー４又は、第２スノコ５及び第２トレー６、或いは洗浄後の第３壁１７の壁面に付着した水滴の乾燥促進を図る様にする。
又、カバー１９とケージ１との固定手段としてはカバー１９側に設ける第１スライド部２１がケージ１側に設ける第２スライド部２２と噛み合う様にすると共に、カバー１９側に設ける凸部２３がケージ１側に設ける凹部２４と噛み合う様にする。
又、図４に示す様に円板７及び第３壁１７の中心を貫通する第１軸９を設けて第３壁１７に第１軸９を固着し、円板７の下部に設ける台座８に第１軸９の下端を受ける第１軸受け１０を設け、第３壁１７の上部に設けるフレーム２５に第１軸９の上端を受ける第１軸受け１０を設け、第１軸９はフレーム２５に設ける第１軸受け１０を貫通させ、第１軸９の端部にハンドル２６を設けることでハンドル２６を操作して円板７及び第３壁１７が一体で第１軸９を中心に回転する様にする。なお、ハンドル２６を設ける構成により図１の様な円板７の側面１２を台座８よりも手前に突出して配置するという手段は不要になる。
又、第３壁１７の両側に設ける第４壁１８上部のフレーム２５に第３スライド部２７を設け、第３スライド部２７が屋根１４と噛み合う様にすることで屋根１４がスライドにより開閉する構成にして上方向からトイレ１１周囲の洗浄ができる様にする。なお、図４においては第１軸９及び第１軸受け１０を透視して示すと共に、図２と同様に正面に位置する車輪１６及び、背面に位置する車輪１６の記載は省略して、第１軸９及び第１軸受け１０の状況が明瞭に把握できる様にしている。
又、図５に示すものは円板７の直径に設ける第３壁１７は円板７の中心を起点に直径の中程から曲折させて円板７内に囲い状の壁を形成し、第３壁１７と対称に配置される囲い状の第５壁２８を設け、円板７の下部に台座８を設け、第３壁１７及び第５壁２８の上部にフレーム２５を設け、円板７の中心及び、第３壁１７と第５壁２８との間を貫通する第１軸９を設けて第３壁１７及び第５壁２８に第１軸９を固着し、台座８に第１軸９の下端を受ける第１軸受け１０を設け、フレーム２５に第１軸９の上端を受ける第１軸受け１０を設ける構成にすることで、第３壁１７又は第５壁２８のコーナーにおける第１スノコ３又は第２スノコ５の面積が確保できる様にするものである。
又、第３壁１７又は第５壁２８の囲い状の壁の縁に相当する部位の延長上にあり、第３壁１７又は第５壁２８と繋がらない第６壁２９を床２上に設ける様にする。この第６壁２９は第３壁１７又は第５壁２８と同様に透過できない素材により造作すると共に、ケージ１の周囲を囲う第２壁１５に繋がる様にする。
又、図５においては円板７の側面１２は台座８よりも両側面に突出して配置し、両手を宛てがい円板７を回転させる操作を行う様にしている。
又、図５においてはケージ１内の第３壁１７又は第５壁２８を覆う屋根１４は屋根１４に設ける第２軸３０と第６壁２９に設ける第２軸受け３１により構成し、屋根１４が第２軸３０を中心に回転することで開閉する様にしている。
【発明の効果】
【０００７】（ａ）  本発明の構成により飼育動物に対する安全性を確保しつつ、トイレ１１の衛生状態を良好に維持することができる。
（ｂ）  ケージ１外に飼育動物を移動させること無くトイレ１１を洗浄できる構成により手間が掛からない。或いは洗浄の際にケージ１内の飼育動物に接近することが無いために飼育動物にストレスを与える懸念が無い。
（ｃ）  従来のものは洗浄の際のトレーの出し入れをケージに対して前後の着脱行為により行うのに対して、本発明のものはトレーの出し入れをケージ１外において上下の着脱行為により行うために作業効率を高めることができる。併せて、本発明のものは中継となる予備のトレーを円滑に用意することができる。以上、（ａ）から（ｃ）の３事項により快適なペットライフを過こすことができる。
（ｄ）  飼育動物にトイレ１１の箇所を自習させるためにはある程度の匂いの籠もりは残留させるべきであるが、このために囲い状の第１壁１３又は、第３壁１７及び第４壁１８の併用、或いは円板７内に設ける囲い状の第３壁１７又は第５壁２８を活用することができる。なお、屋根１４がスライドにより開閉する構成、或いは屋根１４に第２軸３０を設けて開閉する構成により上方向からのトイレ１１周囲の洗浄と共に、匂いの残留の度合いの調整が可能になる。
（ｅ）  円板７の直径はケージ１の一辺を担う壁の間口程を有する様にすることである程度広範囲のトイレ１１のエリアが確保できるために例えば老齢及び、病弱の飼育動物に見受けられるトイレ１１の箇所の自覚認識度の低下傾向に対処することができる。
（ｆ）  例えばウサギはトイレ１１から出る際に蹴りにより排泄物を飛散させる状況があるが、これに直面するケージ１内の第３壁１７又は第５壁２８をケージ１外から容易に洗浄できる様にした構成は便利である。
（ｇ）  第３壁１７又は第５壁２８により円板７内に囲い状の壁を形成することでコーナーにおける第１スノコ３又は第２スノコ５の面積が確保できるために例えばケージ１のコーナーに排泄する性癖がある飼育動物にも対処することができる。
【図面の簡単な説明】
【図１】  本発明の平面図
【図２】  円板７周辺を示す透視側面図
【図３】  第３壁１７周辺を示す平面図
【図４】  第３壁１７の正面図
【図５】  図３の実施例を示す平面図
【符号の説明】
１  ケージ              ２  床            ３  第１スノコ
４  第１トレー          ５  第２スノコ    ６  第２トレー
７  円板                ８  台座          ９  第１軸
１０  第１軸受け        １１  トイレ      １２  側面
１３  第１壁            １４  屋根        １５  第２壁
１６  車輪              １７  第３壁      １８  第４壁
１９  カバー            ２０  穴          ２１  第１スライド部
２２  第２スライド部    ２３  凸部        ２４  凹部
２５  フレーム          ２６  ハンドル    ２７  第３スライド部
２８  第５壁            ２９  第６壁      ３０  第２軸
３１  第２軸受け
【図１】
0004466960.tif 000002
【図２】
0004466960.tif 000003
【図３】
0004466960.tif 000004
【図４】
0004466960.tif 000005
【図５】
0004466960.tif 000006